(57)【要約】【課題】本発明は、美観を損なわず安全な分電盤を提供することを目的としている。【解決手段】本発明に係る分電盤は、基台のフリースペース６を施蓋するカバー体５には格子状に切り込み７を設けると共に、カバー体５には複数の凹部８ａを小間隔で設けディンプル８を形成し、ディンプル８に対向する位置に基台には凸部を設け、凹部８ａと凸部とを互いに勘合させまた、カバー体５の固定位置を凹部と凸部の勘合位置により微調整可能としたことを特徴とする。【選択図】図２
2006197665.tif 000002
【特許請求の範囲】
【請求項１】
基台にブレーカ等の各種電気機器を載置し、前記基台の前面開口は、前記電気機器の操作ハンドル等が突出可能である突出孔を有するカバー体を取り付けたカバー枠で施蓋して成る分電盤において、前記基台のフリースペースを施蓋する前記カバー体には格子状に切り込みを設けると共に、前記カバー体には複数の凹部を小間隔で設けディンプルを形成し、該ディンプルに対向する位置に前記カバー枠には凸部を設け、前記凹部と凸部とを互いに勘合させまた、前記カバー体の固定位置を前記凹部と凸部の勘合位置により微調整可能としたことを特徴とする分電盤。
【発明の詳細な説明】
【技術分野】
【０００１】
本発明は、基台にブレーカ等の各種電気機器を載置し、基台の前面開口は、電気機器の操作ハンドル等が突出可能である突出孔を有するカバー体で施蓋して成る分電盤に関するものである。
【背景技術】
【０００２】
分電盤のフリースペースには、種々の機器が載置される可能性があり、フリースペースを施蓋しているカバー３１には、フリースペースに載置される機器に合わせて操作ハンドルを突出させる突出孔を開けなくてはいけないので、おおまかに格子状の切り込み３２を設けている。フリースペースに機器を載置した時点でカバー３１の一部を切り込み３２に沿って抜いて突出孔を形成する。
【非特許文献１】カワムラカタログ電設資材編Ｎｏ．３４改訂版平成１６年４月１日
【発明の開示】
【発明が解決しようとする課題】
【０００３】
しかしながら、図４に示すように突出孔を操作ハンドルの大きさＳに合わせて設けても、おおまかに切り込み３２が設けられているだけなので、機器の取り付け位置Ｓ１，Ｓ２によっては、機器の操作ハンドルの大きさＳに合わせて開けた突出孔では対応できず、大き目に突出孔３３を開けていたが、操作ハンドルの周囲に隙間ができ、分電盤の美観を損ねていた。また、操作ハンドルの周囲にできた隙間から塵埃等の異物が進入し短絡事故等を引き起こす虞があった。切り込み３２を細かく設け、小さな単位で開口の大きさに対応する方法もあるが、切り込み３２に沿って抜く作業が煩雑になったり、切り込み３２が多すぎるがためにカバー３１が折れやすくもろいものになってしまう。
【課題を解決するための手段】
【０００４】
そこで本発明は、美観を損なわず安全な分電盤を提供することを目的とし、その構造は、基台のフリースペースを施蓋するカバー体には格子状に切り込みを設けると共に、カバー体には複数の凹部を小間隔で設けディンプルを形成し、ディンプルに対向する位置にカバー枠には凸部を設け、凹部と凸部とを互いに勘合させまた、カバー体の固定位置を凹部と凸部の勘合位置により微調整可能としたことを特徴とする。
【発明の効果】
【０００５】
本発明に係る分電盤は、基台のフリースペースを施蓋するカバー体には格子状に切り込みを設けると共に、カバー体には複数の凹部を小間隔で設けディンプルを形成し、ディンプルに対向する位置にカバー枠には凸部を設け、凹部と凸部とを互いに勘合させまた、カバー体の固定位置を凹部と凸部の勘合位置により微調整可能としたため、操作ハンドルを突出させるための突出孔の開口寸法を最小限に抑えることができるため、操作ハンドルの周囲に無駄な隙間ができず、分電盤の美観を損なうことなく、また、隙間がないため塵埃等の異物の進入を防ぐことができるため、異物による事故を未然に防ぐことのできる安全な分電盤を提供することができる。
【発明を実施するための最良の形態】
【０００６】
カバーに、塵埃等の異物が進入する虞のある無駄な隙間を作らないという目的を、最小の部品点数で、美観を損なわずに実現した。
【実施例１】
【０００７】
本発明に係る分電盤の実施例を図１の添付図面に基づいて説明する。
【０００８】
分電盤１はブレーカ２等の電気機器を基台３に載置し、基台３の前面開口はカバー枠４を取りつけて構成される。カバー枠４に分電盤１のそれぞれの部分を覆うようにカバー体５を取り付け施蓋する。カバー体５には基台３に載置した機器２の操作ハンドル２ａが突出可能であるように突出孔５ａを設けている。基台３にはフリースペース６が設定されており、適宜各種電気機器を分電盤２に搭載できるようにしている。フリースペース６に載置する機器は常に同じ物ではないため、突出孔５ａの位置もその機器に合わせて開口する必要があり、フリースペース６を施蓋するカバー体５には、その都度適当に開口できるように、例えば１０ｍｍ間隔で格子状に切り込み７を設けている。
【０００９】
また、フリースペース６を覆うカバー体５の四隅には複数の凹部８ａを小間隔で設け、ディンプル８を形成する。このディンプル８に対向する位置にカバー枠４には凸部９ａを設ける。フリースペース６の取り付けは、凹部８ａと凸部９ａとを勘合し固定する。
【００１０】
フリースペース６に機器を載置してカバー体５で被覆するとき、カバー体５は機器の操作ハンドル２ａを突出させるための突出孔５ａを切り込み７に従って開口する。このとき、突出孔５ａは操作ハンドル２ａの大きさに合わせて開口する。機器の取り付け位置により、操作ハンドル２ａの大きさに合わせて開口した突出孔５ａに操作ハンドル２ａが出せない場合には、カバー体５をスライド移動させ、勘合させる凹部８ａを最適な位置の凸部９ａに合うようにずらして固定する。
【００１１】
カバー体５の切り込み７では開口するのに切り込み７の幅の大まかな大きさあわせしかできず、大き目の突出孔５ａになりがちであったが、カバー体５とカバー枠４とにそれぞれ凹部８ａと凸部９ａとを設けることで、カバー体５をスライド移動させて取り付け位置を変更して固定できるようになり、操作ハンドル２ａの位置に合わせてカバー体５の取り付け位置を微調整が可能である。
【００１２】
ディンプル８を構成する凹部８ａの間隔は、特に定められるものではなく、適宜変更可能である。
【００１３】
図１においては、ディンプル９はカバー体５の四隅に設けているが、位置や数は特に限定されるものではなく適宜変更可能である。
【００１４】
本発明に係る分電盤は、上記形状に限定されるものではなく、例えばカバー体に凸部をカバー枠に凹部を設けるというように、どちらに凸部、凹部を形成してもよい。また、その形状も適宜変更可能である。
【産業上の利用可能性】
【００１５】
フリースペースを覆うカバー体はディンプルが形成され、またカバー枠にはディンプルに対向する固定部が形成され、ディンプルの間隔でカバー体の取り付け位置を微調整でき、操作ハンドルの周囲にできる隙間を最小限にとどめることができ、異物の進入を防ぐことで安全な分電盤を提供できる。
【図面の簡単な説明】
【００１６】
【図１】分電盤を示す正面図である。（実施例１）
【図２】分電盤のフリースペースを覆うカバー体を示す正面図である。（実施例１）
【図３】カバー体とカバー枠を示す側面図である。（実施例１）
【図４】従来技術における分電盤のカバーを示す正面図である。
【符号の説明】
【００１７】
１    分電盤
２    ブレーカ
２ａ  操作ハンドル
３    基台
４    カバー枠
５    カバー体
５ａ  突出孔
６    フリースペース
７    切り込み
８    ディンプル
８ａ  凹部
９ａ  凸部
【図１】
2006197665.tif 000003
【図２】
2006197665.tif 000004
【図３】
2006197665.tif 000005
【図４】
2006197665.tif 000006